(57)【要約】【課題】E-UTRA方式などの無線システムの上りリンクにおいて、スケジューリングリクエスト信号の伝送にデータチャネルとは異なる専用チャネルを利用することを図る。【解決手段】無線基地局装置へ送信するスケジューリングリクエスト信号を、該無線基地局装置へ送信するランダムアクセスチャネル信号との間で符号分割多重し、符号分割多重されたスケジューリングリクエスト信号及びランダムアクセスチャネル信号を、該無線基地局装置へ送信する直交符号分割多重化された応答(ACK/NACK)信号及びCQI信号との間で時間分割多重し、該時間分割多重化された信号を前記制御チャネルの同じ周波数帯で送信する。【選択図】図４
2011050105.tif 000002
【特許請求の範囲】
【請求項１】
応答(ACK/NACK)信号及びCQI信号を含む制御信号を伝送する制御チャネルとデータ信号を伝送するデータチャネルとが上りリンクで異なる周波数帯に配置されるE-UTRA方式の無線システムにおいて、
無線基地局装置へ送信するスケジューリングリクエスト信号を、該無線基地局装置へ送信するランダムアクセスチャネル信号との間で符号分割多重する符号分割多重化手段と、
前記符号分割多重されたスケジューリングリクエスト信号及びランダムアクセスチャネル信号を、該無線基地局装置へ送信する直交符号分割多重化された応答(ACK/NACK)信号及びCQI信号との間で時間分割多重する時間分割多重化手段と、
該時間分割多重化された信号を前記制御チャネルの同じ周波数帯で送信する無線送信手段と、
を備えたことを特徴とする無線端末装置。
【請求項２】
応答(ACK/NACK)信号及びCQI信号を含む制御信号を伝送する制御チャネルとデータ信号を伝送するデータチャネルとが上りリンクで異なる周波数帯に配置されるE-UTRA方式の無線システムにおいて、
前記制御チャネルの同じ周波数帯において時間分割多重化された無線信号を無線端末装置から受信する無線受信手段と、
該受信信号から、符号分割多重されたスケジューリングリクエスト信号及びランダムアクセスチャネル信号と直交符号分割多重化された応答(ACK/NACK)信号及びCQI信号とを分離する時間分割多重分離化手段と、
前記符号分割多重されているスケジューリングリクエスト信号及びランダムアクセスチャネル信号を分離する復号化手段と、
を備えたことを特徴とする無線基地局装置。
【発明の詳細な説明】
【技術分野】
【０００１】
本発明は、Evolved UTRA(E-UTRA）方式などの無線システムの無線端末装置及び無線基地局装置に関する。
【背景技術】
【０００２】
近年、第3世代（3G）移動体通信システムのLTE(Long Term Evolution)標準規格の検討が標準化プロジェクト「3GPP：3rd Generation Partnership Project」で行われている。その検討課題の一つに、上りリンク（無線端末から無線基地局へ向かう方向の無線リンク）における符号多重方式を用いた無線システムにおいて、各ユーザ（無線端末）に対する無線リソースの割当方法、及び、各ユーザに割り当てられた無線リソースのマッピング方法がある。例えば非特許文献１に記載の従来技術では、上りリンクにおいて、周波数分割多重方式によりスケジューリングリクエスト信号（SR：Scheduling Request）とデータ信号（PUSCH data）を同時に送信する。
【先行技術文献】
【非特許文献】
【０００３】
【非特許文献１】3GPP, R1-070717, ” Interference between Data and Preamble-Based Scheduling Request in E-UTRAN”, Texas Instruments , Feb. 12-16, 2007.
【非特許文献２】3GPP, R1-072858, “Preamble Based Scheduling Request”, Texas Instruments, June 25-29, 2007.
【非特許文献３】3GPP, R1-072859, “Scheduling Request and DRX in E-UTRA”,Texas Instruments, June 25-29, 2007.
【非特許文献４】3GPP, R1-072688, “Performance of Scheduling Request using Contention Free Channel”, Motorola, June 25-29, 2007.
【発明の概要】
【発明が解決しようとする課題】
【０００４】
しかし、上述した非特許文献１に記載の従来技術では、図１及び図２に示すように、スケジューリングリクエスト信号（SR）とデータ信号（Data）の間の干渉が生じることがある。このため、信号が正常に受信できない恐れがある。そして、3GPP TSG RAN WG1 Meeting #49bis会合において、スケジューリングリクエスト信号の伝送には専用チャネルを利用することが合意されている。そのため、スケジューリングリクエスト信号とデータ信号とはそれぞれ異なるチャネルを用いて送信される。スケジューリングリクエスト信号は、ユーザが自己の無線通信期間を確保するために基地局に対してスケジューリングを要求する信号である。
【０００５】
本発明は、このような事情を考慮してなされたもので、その目的は、E-UTRA方式などの無線システムの上りリンクにおいて、スケジューリングリクエスト信号の伝送にデータチャネルとは異なる専用チャネルを利用することができる無線端末装置及び無線基地局装置を提供することにある。
【課題を解決するための手段】
【０００６】
上記の課題を解決するために、本発明に係る無線端末装置は、応答(ACK/NACK)信号(ACK/NACK：ACKnowledgement/Negative ACKnowledement)及びCQI(Channel Quality Indicator：チャネル品質情報)信号を含む制御信号を伝送する制御チャネルとデータ信号を伝送するデータチャネルとが上りリンクで異なる周波数帯に配置されるE-UTRA方式の無線システムにおいて、無線基地局装置へ送信するスケジューリングリクエスト信号を、該無線基地局装置へ送信するランダムアクセスチャネル信号との間で符号分割多重する符号分割多重化手段と、前記符号分割多重されたスケジューリングリクエスト信号及びランダムアクセスチャネル信号を、該無線基地局装置へ送信する直交符号分割多重化された応答(ACK/NACK)信号及びCQI信号との間で時間分割多重する時間分割多重化手段と、該時間分割多重化された信号を前記制御チャネルの同じ周波数帯で送信する無線送信手段と、を備えたことを特徴とする。
【０００７】
本発明に係る無線基地局装置は、応答(ACK/NACK)信号及びCQI信号を含む制御信号を伝送する制御チャネルとデータ信号を伝送するデータチャネルとが上りリンクで異なる周波数帯に配置されるE-UTRA方式の無線システムにおいて、前記制御チャネルの同じ周波数帯において時間分割多重化された無線信号を無線端末装置から受信する無線受信手段と、該受信信号から、符号分割多重されたスケジューリングリクエスト信号及びランダムアクセスチャネル信号と直交符号分割多重化された応答(ACK/NACK)信号及びCQI信号とを分離する時間分割多重分離化手段と、前記符号分割多重されているスケジューリングリクエスト信号及びランダムアクセスチャネル信号を分離する復号化手段と、を備えたことを特徴とする。
【発明の効果】
【０００８】
本発明によれば、E-UTRA方式などの無線システムの上りリンクにおいて、スケジューリングリクエスト信号の伝送にデータチャネルとは異なる専用チャネルを利用することができる。
【図面の簡単な説明】
【０００９】
【図１】従来のスケジューリングリクエスト信号の無線伝送方式を説明するための説明図である。
【図２】従来のスケジューリングリクエスト信号の無線伝送方式を説明するための説明図である。
【図３】本発明の第１実施形態に係るスケジューリングリクエスト信号の無線伝送方式を説明するための無線チャネル構成図である。
【図４】本発明の第２実施形態に係るスケジューリングリクエスト信号の無線伝送方式を説明するための無線チャネル構成図である。
【発明を実施するための形態】
【００１０】
以下、図面を参照し、本発明の実施形態について説明する。本実施形態では、上りリンクにおける符号多重方式を用いた無線システムとして、3GPPで検討されている第3世代移動体通信システムを例に挙げて説明する。
【００１１】
［第１実施形態］
第１実施形態では、無線システムの上りリンクにおいて、スケジューリングリクエスト信号、応答(ACK/NACK)信号（ACK又はNACK）及びCQI（Channel Quality Indicator）信号を直交符号分割多重（直交CDM）する。応答(ACK/NACK)信号及びCQI信号は、制御チャネルを用いてユーザから基地局へ送信される制御信号である。
【００１２】
図３は、本発明の第１実施形態に係るスケジューリングリクエスト信号の無線伝送方式を説明するための無線チャネル構成図である。図３（１）において、スケジューリングリクエスト信号、応答(ACK/NACK)信号及びCQI信号は、それぞれCAZAC符号（Zadoff-Chu）により直交符号化される。直交符号化されたスケジューリングリクエスト信号、応答(ACK/NACK)信号及びCQI信号は、同じ時間帯及び同じ周波数帯で構成されるチャネルを用いて直交符号分割多重伝送される。
【００１３】
図３（２）に示すように、周波数方向にどのくらいの帯域を用意するかは、基地局がアクティブなユーザ数に応じて制御し、基地局から全ユーザに対してブロードキャストチャネル（ＢＣＨ）を用いてゆっくりとした間隔で通知する。
【００１４】
なお、スケジューリングリクエスト信号チャネルにおいて、周波数ホッピング方式により利用周波数を変更することが好ましい。周波数ホッピング方式を適用することにより、周波数選択性フェージングによる受信特性の劣化を抑制することができる。
【００１５】
［第２実施形態］
第２実施形態では、無線システムの上りリンクにおいて、スケジューリングリクエスト信号と、応答(ACK/NACK)信号及びCQI信号とを時間分割多重（TDM）する。
【００１６】
図４は、本発明の第２実施形態に係るスケジューリングリクエスト信号の無線伝送方式を説明するための無線チャネル構成図である。図４（１）において、スケジューリングリクエスト信号は、応答(ACK/NACK)信号及びCQI信号とは、同じ周波数帯であって異なる時間帯で構成されるチャネルを用いて時分割多重伝送される。応答(ACK/NACK)信号及びCQI信号は、それぞれCAZAC符号により直交符号化され、同じ時間帯及び同じ周波数帯で構成されるチャネルを用いて直交符号分割多重伝送される。
【００１７】
図４（２）に示すように、周波数方向にどのくらいの帯域を用意するかは、基地局がアクティブなユーザ数に応じて制御し、基地局から全ユーザに対してブロードキャストチャネル（ＢＣＨ）を用いてゆっくりとした間隔で通知する。
【００１８】
なお、スケジューリングリクエスト信号チャネルにおいて、周波数ホッピング方式により利用周波数を変更することが好ましい。周波数ホッピング方式を適用することにより、周波数選択性フェージングによる受信特性の劣化を抑制することができる。
【００１９】
上述の第１実施形態及び第２実施形態によれば、直交多重が可能である。また、第１実施形態及び第２実施形態によれば、いずれも、応答(ACK/NACK)信号チャネル及びCQI信号チャネルと同じ周波数ホッピング方式を用いた無線リソース割り当て法をスケジューリングリクエスト信号チャネルに対して適用することができる。また、共有データチャネルとの柔軟な無線リソース分配の実現の観点及び仕様の簡易性の観点から、同じ周波数ホッピング方式を用いた無線リソース割り当て法を適用することが望ましい。
【００２０】
［第３実施形態］
第３実施形態では、無線システムの上りリンクにおいて、スケジューリングリクエスト信号とランダムアクセスチャネル（RACH：Random Access Channel）の信号とを符号分割多重（CDM）する。符号化されたスケジューリングリクエスト信号及びRACH信号は、同じ時間帯及び同じ周波数帯で構成されるチャネルを用いて伝送される。この方式では、RACHの制約を受け、10msに一回しか送信できない。このため、一度に多くのユーザの信号を送信する必要があり、符号系列数の制限から直交CDMは難しい。
【００２１】
以上、本発明の実施形態について図面を参照して詳述してきたが、具体的な構成はこの実施形態に限られるものではなく、本発明の要旨を逸脱しない範囲の設計変更等も含まれる。
【符号の説明】
【００２２】
ＳＲ…スケジューリングリクエスト信号（Scheduling Request）
【図１】
2011050105.tif 000003
【図２】
2011050105.tif 000004
【図３】
2011050105.tif 000005
【図４】
2011050105.tif 000006